(57)【要約】  本明細書に記載される実施形態は、物体を洗浄するための洗浄デバイスおよび方法に関する。一実施形態では、物体は、物体の表面に沿って洗浄ヘッドを移動させることによって洗浄される。超臨界二酸化炭素流体は、超臨界二酸化炭素流体容器によって物体の表面に供給される。超臨界二酸化炭素流体および汚染物質は、物体から、真空ポンプによって、検出器へと除去される。汚染物質の１つまたは複数の測定値は、検出器によって決定される。汚染物質のサンプルは、コレクタによって収集される。物体の表面の汚染レベルは、アナライザによって決定される。【選択図】図２
2021511669.tif 000002
【特許請求の範囲】
【請求項１】
洗浄デバイスを、物体の表面に沿って移動させることと、
超臨界二酸化炭素流体を、前記物体の前記表面に供給することと、
前記超臨界二酸化炭素流体および汚染物質を、前記物体から除去することと、
前記汚染物質の１つまたは複数の測定値を決定することと、
前記汚染物質のサンプルを収集することと
を含む方法。
【請求項２】
前記超臨界二酸化炭素流体が、５００ポンド／平方インチ（ｐｓｉ）を超える圧力で供給される、請求項１に記載の方法。
【請求項３】
前記物体の前記表面上の汚染レベルを決定することをさらに含む、請求項１に記載の方法。
【請求項４】
前記超臨界二酸化炭素流体を供給することが、複数の粒子を含む前記汚染物質を、前記物体の前記表面から除去し、
前記超臨界二酸化炭素流体および前記汚染物質が、真空ポンプによって除去され、
前記汚染物質の前記１つまたは複数の測定値を決定することが、前記汚染物質の各粒子の密度を決定することを含む、請求項１に記載の方法。
【請求項５】
洗浄デバイスを、第１の物体の表面に沿って移動させることと、
超臨界二酸化炭素流体を、前記第１の物体の前記表面に供給することと、
前記超臨界二酸化炭素流体および汚染物質を、前記第１の物体から除去することと、
前記第１の物体からの前記汚染物質の１つまたは複数の測定値を決定することと、
前記第１の物体からの前記汚染物質のサンプルを収集することと、
前記洗浄デバイスを、第２の物体の表面に沿って移動させることと、
超臨界二酸化炭素流体を、前記第２の物体の前記表面に供給することと、
前記超臨界二酸化炭素流体および前記汚染物質を、前記第２の物体から除去することと、
前記第２の物体からの前記汚染物質の１つまたは複数の測定値を決定することと、
前記第２の物体からの前記汚染物質のサンプルを収集することと
を含む方法。
【請求項６】
前記第１の物体の前記表面上の汚染レベルを決定することと、前記第２の物体の前記表面上の汚染レベルを決定することとをさらに含む、請求項５に記載の方法。
【請求項７】
超臨界二酸化炭素流体を、前記第１の物体の前記表面に供給することが、前記汚染物質を、前記第１の物体の前記表面から除去し、前記超臨界二酸化炭素流体を、前記第２の物体の前記表面に供給することが、前記汚染物質を、前記第２の物体の前記表面から除去し、前記汚染物質が、複数の粒子を含む、請求項６に記載の方法。
【請求項８】
前記超臨界二酸化炭素流体および前記汚染物質が、真空ポンプによって前記第１の物体から除去され、前記超臨界二酸化炭素流体および前記汚染物質が、前記真空ポンプによって前記第２の物体から除去される、請求項７に記載の方法。
【請求項９】
前記第１の物体からの前記汚染物質の１つまたは複数の測定値を決定することが、前記第１の物体からの前記汚染物質の各粒子の密度を決定することを含み、前記第２の物体からの前記汚染物質の１つまたは複数の測定値を決定することが、前記第２の物体からの前記汚染物質の各粒子の密度を決定することを含む、請求項８に記載の方法。
【請求項１０】
洗浄ヘッドと、
アナライザに連結され、かつ前記洗浄ヘッドに連結された光チャネルと、
前記洗浄ヘッドに連結された検出器と、
前記検出器に連結されたコレクタと、
前記コレクタに連結された真空ポンプと
を備えるデバイス。
【請求項１１】
前記検出器が、汚染物質の各粒子の密度を決定するように構成される、請求項１０に記載のデバイス。
【請求項１２】
前記コレクタが、前記汚染物質のサンプルを収集するように構成される、請求項１１に記載のデバイス。
【請求項１３】
前記洗浄ヘッドに連結された移動機構をさらに備える、請求項１０に記載のデバイス。
【請求項１４】
前記アナライザが、汚染レベルを決定するように構成される、請求項１０に記載のデバイス。
【請求項１５】
前記洗浄ヘッドに連結され、かつ超臨界二酸化炭素を供給するように構成された超臨界二酸化炭素流体容器をさらに備える、請求項１０に記載のデバイス。
【発明の詳細な説明】
【技術分野】
【０００１】
［０００１］本開示の実施形態は、概して、機器を洗浄するための装置および方法に関する。より詳細には、本開示の実施形態は、半導体、ＯＬＥＤ、およびフラットパネルデバイスを洗浄するための装置および方法に関する。
【背景技術】
【０００２】
［０００２］半導体、ＯＬＥＤ、およびフラットパネルデバイスの洗浄では、基板の表面から汚染物質を除去し、結果として清浄な表面を残すことが望ましいことが多い。例えば、半導体処理中に、処理が行われるチャンバは、同様に洗浄を必要とすることが多い。洗浄しないと、半導体デバイスの性能に悪影響を及ぼすことになる汚染物質が存在する可能性がある。
【０００３】
［０００３］チャンバの洗浄は、プロセスメンテナンスまたはＰＭとして知られており、生産を停止する。ＰＭ中にチャンバ内で半導体デバイスを処理することはできない。したがって、ＰＭは、半導体デバイスのスループットに大きく影響する。ゆえに、ＰＭ時間を短縮することが有益であろう。基板、チャンバ部品、チャンバツール、チャンバ、およびチャンバメインフレームなどの半導体デバイスの清浄度は、製品収率、チャンバ稼働時間、および顧客の所有コストに影響する。
【０００４】
［０００４］現在の湿式洗浄技術のほとんどが、洗浄すべき物体の表面から汚染物質を除去するために、真空クリーナーを利用する。しかしながら、真空クリーナーを使用することは、物体の表面から汚染物質を除去するには不十分であり、したがって時間効率が悪い。加えて、その後の粒子および表面汚染の測定には、追加の時間を要し、これは、マイクロチップ歩留まりを減少させ、ツール稼働時間を減少させ、顧客の所有コストを増加させる。
【０００５】
［０００５］したがって、当技術分野で必要とされるのは、物体を洗浄するための改良された洗浄デバイスおよび方法である。
【発明の概要】
【０００６】
［０００６］一実施形態では、方法が提供される。この方法は、物体の表面に沿って洗浄デバイスを移動させることを含む。物体の表面に、超臨界二酸化炭素流体が供給される。超臨界二酸化炭素流体および汚染物質は、物体から除去される。汚染物質の１つ以上の測定値が決定される。汚染物質のサンプルが収集される。
【０００７】
［０００７］一実施形態では、方法が提供される。この方法は、第１の物体の表面に沿って洗浄デバイスを移動させることを含む。超臨界二酸化炭素流体は、第１の物体の表面に供給される。超臨界二酸化炭素流体および汚染物質は、第１の物体から除去される。第１の物体からの汚染物質の１つまたは複数の測定値が決定される。第１の物体からの汚染物質のサンプルが収集される。洗浄デバイスは、第２の物体の表面に沿って移動される。超臨界二酸化炭素流体は、第２の物体の表面に供給される。超臨界二酸化炭素流体および汚染物質は、第２の物体から除去される。第２の物体からの汚染物質の１つまたは複数の測定値が決定される。第２の物体からの汚染物質のサンプルが収集される。
【０００８】
［０００８］別の実施形態では、デバイスが提供される。このデバイスは、洗浄ヘッドを含む。アナライザに光チャネルが連結される。光チャネルは、洗浄ヘッドに連結される。洗浄ヘッドに検出器が連結され、検出器にコレクタが連結される。コレクタに真空ポンプが連結される。
【０００９】
［０００９］本開示の上記の特徴を詳細に理解することができるように、上記で簡単に要約した本開示のより具体的な説明を、実施形態を参照することによって行うことができ、そのいくつかを添付の図面に示す。しかし、添付の図面は、例示的な実施形態のみを示し、したがって、その範囲を限定するものと見なされるべきではなく、他の等しく有効な実施形態を許容しうることに留意されたい。
【図面の簡単な説明】
【００１０】
【図１】［００１０］Ａ〜Ｄは、実施形態による洗浄中の物体の概略平面図である。
【図２】［００１１］一実施形態による洗浄デバイスの概略断面図である。
【図３】［００１２］一実施形態による物体を洗浄するための方法の工程を示すフロー図である。
【発明を実施するための形態】
【００１１】
［００１３］理解を容易にするために、可能な場合には、図に共通する同一の要素を指し示すのに同一の参照番号を使用した。一実施形態の要素および特徴は、さらなる記述がなくとも、他の実施形態に有益に組み込まれる場合があると想定される。
【００１２】
［００１４］本明細書に記載の実施形態は、物体を洗浄するための洗浄デバイスおよび方法に関する。一実施形態では、物体は、物体の表面に沿って洗浄ヘッドを移動させることによって洗浄される。超臨界二酸化炭素流体は、超臨界二酸化炭素流体容器によって物体の表面に供給される。超臨界二酸化炭素流体および汚染物質は、物体から、真空ポンプによって、検出器へと除去される。汚染物質の１つまたは複数の測定値は、検出器によって決定される。汚染物質のサンプルは、コレクタによって収集される。物体の表面の汚染レベルは、アナライザによって決定される。
【００１３】
［００１５］図１Ａは、洗浄前に、汚染物質１０４が表面１０２上に形成された、表面１０２を有する物体１００の概略平面図である。物体１００は、基板、チャンバ部品、チャンバツール、チャンバ、およびチャンバメインフレームでありうる。物体１００は、処理前または処理後に、表面１０２上に形成された汚染物質１０４を有することがある。汚染物質は、複数の粒子１０６を含むことがある。
【００１４】
［００１６］図１Ｂは、洗浄処理後の表面１０２を有する物体１００の概略平面図である。図１Ｂに示すように、物体１００の表面１０２には、汚染物質１０４がないように見える。しかしながら、図１Ｂの物体１００の概略平面図の拡大図である図１Ｃに示すように、汚染物質１０４は、依然として、表面１０２上に存在する。汚染物質１０４は、汚染物質１０４を除去する効率が悪く、洗浄プロセス中に物体１００の表面１０２の汚染レベルを決定することができないため、依然として、表面１０２上に存在する。
【００１５】
［００１７］図１Ｄは、物体１００を洗浄するための方法３００の後の物体１００の概略的平面図の拡大図である。物体１００の表面１０２には、汚染物質１０４が実質的に存在しない。一実施形態では、物体１００は、入ってくるチャンバ部品であり、方法３００によって、チャンバに組み込む前にチャンバ部品を洗浄する。別の実施形態では、チャンバおよびチャンバの部品は、処理前に方法３００を利用して洗浄される。さらに別の実施形態では、チャンバおよびチャンバ部品の構成要素は、予防保守および／またはトラブルシューティングの実施として、処理後に方法３００を利用して洗浄される。
【００１６】
［００１８］図２は、一実施形態による洗浄デバイス２００の概略断面図である。以下に記載される洗浄デバイスは、例示的な洗浄デバイスであり、他の製造業者からの洗浄デバイスを含む他の洗浄デバイスが、本開示の態様を実現するために使用されてもよく、または修正されてもよいことを理解されたい。
【００１７】
［００１９］洗浄デバイス２００は、アナライザ２１２に連結されたチャネル２１０を有する洗浄ヘッド２０２を含む。一実施形態では、洗浄ヘッド２０２は、移動機構２２０にも連結される。移動機構２２０は、洗浄ヘッドを物体１００の表面１０２に沿って移動させるように動作可能である。一実施形態では、移動機構２２０は、洗浄ヘッドを物体１００の表面１０２に沿って自律的に移動させるように構成される。別の実施形態では、移動機構２２０は、ユーザからの入力コマンドの信号を受信し、物体１００の表面１０２に沿って洗浄ヘッドを移動させるように構成される。さらに別の実施形態では、移動機構２２０はユーザであり、ユーザは、物体１００の表面１０２に沿って洗浄ヘッドを物理的に移動させる。
【００１８】
［００２０］アナライザ２１２は、物体１００の表面１０２の汚染レベルを決定するように構成される。一実施形態では、アナライザ２１２は、表面アナリスト（ｓｕｒｆａｃｅ  ａｎａｌｙｓｔ）である。表面アナリスト（ＢＴＧ  Ｌａｂｓから入手可能なＴｈｅ  Ｓｕｒｆａｃｅ  Ａｎａｌｙｓｔ（登録商標）など）は、アナリスト導管２１４を介して、チャネル２１０と流体連結している。チャネル２１０には、検査ヘッドが取り付けられている。プローブ流体の小さな液滴は、表面アナリストからの微小液滴のパルス流から表面１０２上に分散する。接触角測定値は、表面清浄度およびエネルギーの測定値に対応する液滴から決定される。表面アナリストは、接触角測定値が所定の合格、警告、または不合格の範囲内にあるかどうかに応じて、接触角測定値、または合格、警告、もしくは不合格の出力を出力することがある。
【００１９】
［００２１］アナライザ２１２は、赤外および／または反射率分光アナリストでありうる。一実施形態では、アナライザ２１２は、フーリエ変換赤外分光（Ｆｏｕｒｉｅｒ  Ｔｒａｎｓｆｏｒｍ  Ｉｎｆｒａｒｅｄ  Ｓｐｅｃｔｒｏｓｃｏｐｙ（ＦＴＩＲ））アナリスト（Ａｇｉｌｅｎｔ  Ｔｅｃｈｎｏｌｏｇｉｅｓ社から入手可能な４３００Ｈａｎｄｈｅｌｄ  ＦＴＩＲなど）であり、チャネル２１０は、１つまたは複数の光チャネルを含む。ＦＴＩＲアナリストは、アナリスト導管２１４を介して、チャネル２１０と光連通するセンサと、アナリスト導管２１４を介して、チャネル２１０と光連通する、赤外発光ダイオード（ＬＥＤ）などの赤外光源とを備える。ＦＴＩＲアナライザは、炭化水素およびシリコーン油汚染を検出し、水分レベルを評価し、熱損傷をマッピングし、汚染物質１０４の組成物を識別および検証し、光源によって生成され、表面１０２から反射され、センサによって受信される、グレージング角を測定することによって、物体１００の表面１０２の酸化損傷を測定するように構成される。ＦＴＩＲアナリストは、測定値が所定の合格、警告、または不合格の範囲内にあるかどうかに応じて、測定値または合格、警告、もしくは不合格の出力を出力することがある。
【００２０】
［００２２］別の実施形態では、アナライザ２１２は、発光分光アナリスト（ＳＩＴＡ  Ｐｒｏｃｅｓｓ  Ｓｏｌｕｔｉｏｎｓから入手可能なＳＩＴＡ  ＣｌｅａｎｏＳｐｅｃｔｏｒなど）であり、チャネル２１０は、１つまたは複数の光チャネルを含む。発光分光アナリストは、アナリスト導管２１４を介してチャネル２１０と光連通するセンサと、アナリスト導管２１４を介してチャネル２１０と光連通するＬＥＤとを備える。センサは、ＬＥＤからの紫外線によって励起される、物体１００の表面１０２の蛍光を測定することによって、残留汚染を検出する。センサヘッド内のフォトダイオードは、蛍光の強度を測定する。発光分光アナリストはまた、残留汚染物質の厚さを測定するように構成される。発光分光アナリストは、残留汚染物質の蛍光および／または厚さ、または残留汚染物質の蛍光および／または厚さが所定の合格、警告、もしくは不合格の範囲内にあるかどうかに応じて、合格、警告、もしくは不合格の出力を出力することがある。
【００２１】
［００２３］洗浄デバイス２００は、物体１００の表面１０２から粒子を除去するように構成される。洗浄デバイス２００は、吸引を生成し、複数の粒子１０６を含む汚染物質１０４を、物体１００の表面１０２から第１の真空導管２２２を通って検出器２０４に排出するように構成された真空ポンプ２０８を含む。検出器は、第１の真空導管２２２を介して洗浄ヘッド２０２と流体連結している。検出器２０４は、複数の粒子１０６を含む汚染物質１０４を受け取り、複数の粒子１０６の１つまたは複数の測定値を決定するように構成される。
【００２２】
［００２４］一実施形態では、検出器２０４は、複数の粒子１０６の各粒子の密度を決定するように構成される。検出器２０４は、光散乱粒子サイズ分析を利用して、各粒子の密度、平均粒子密度、および／または粒子密度分布を決定するように構成された表面粒子検出器（Ｐｅｎｔａｇｏｎ  Ｔｅｃｈｎｏｌｏｇｉｅｓ社から入手可能な（登録商標）など）であってもよい。表面粒子検出器は、レーザービームなどの光源、フーリエレンズ、フローセル、後部検出器、側部検出器、およびリング形状検出器を含んでもよい。複数の粒子１０６は、フローセルを通って流れる。レーザービームは、フーリエレンズによって拡大され、フローセルに伝播され、複数の粒子１０６の各粒子の密度に基づいて様々な角度で複数の粒子１０６によって散乱される。後部検出器、側部検出器、およびリング形状検出器は、各粒子の密度、平均粒子密度、および／または粒子密度分布を決定するために、様々な角度によって生成される散乱パターンの変動を決定する。
【００２３】
［００２５］コレクタ２０６は、第２の真空導管２２４を介して検出器２０４と流体連結している。コレクタ２０６は、複数の粒子１０６を含む汚染物質１０４のサンプルを収集するように構成される。汚染物質のサンプルは、さらなる分析のために使用されてもよい。一実施形態では、コレクタ２０６は、粒子トラップ上にグリッドを含む。物体１００が洗浄された後に、粒子トラップは、粒子イメージングのために、ならびに走査型電子顕微鏡（Ｓｃａｎｎｉｎｇ  Ｅｌｅｃｔｒｏｎ  Ｍｉｃｒｏｓｃｏｐｙ（ＳＥＭ））および／またはエネルギー分散型Ｘ線分析（Ｅｎｅｒｇｙ  Ｄｉｓｐｅｒｓｉｖｅ  Ｘ−Ｒａｙ  Ａｎａｌｙｓｉｓ（ＥＤＸ））のために除去され、汚染物質１０４の元素組成および／または定量的組成データが決定される。
【００２４】
［００２６］洗浄デバイス２００は、超臨界二酸化炭素（ＣＯ２）流体容器２１６をさらに含んでもよく、その超臨界ＣＯ２流体容器２１６は、第２のＣＯ２導管２３０を介してＣＯ２ガス源２１８と流体連結している。超臨界ＣＯ２流体容器２１６は、ＣＯ２ガスの相を変化させ、超臨界ＣＯ２流体を超臨界相温度および圧力に維持することができる。超臨界ＣＯ２流体容器２１６は、第１のＣＯ２導管２２８を介して洗浄ヘッド２０２と流体連結しており、ある速度で超臨界ＣＯ２流体を供給して、物体１００の表面１０２からの粒子リフトオフを改善するように構成される。一実施形態では、超臨界ＣＯ２流体容器２１６は、５００ポンド／平方インチ（ｐｓｉ）を超える圧力で超臨界ＣＯ２流体を供給するように構成される。複数の粒子１０６および超臨界ＣＯ２流体を含む汚染物質１０４は、第１の真空導管２２２を介して物体から除去される。
【００２５】
［００２７］図３は、物体１００を洗浄するための方法３００の工程を示すフロー図である。工程３０１では、洗浄デバイス２００が、物体１００の表面１０２に沿って移動される。一実施形態では、洗浄デバイス２００は、物体１００の表面１０２に沿って洗浄ヘッドを自律的に移動させるように構成される移動機構２２０を有する洗浄ヘッド２０２を含む。別の実施形態では、洗浄ヘッド２０２は、ユーザから入力コマンドの信号を受信し、物体１００の表面１０２に沿って移動する。さらに別の実施形態では、ユーザは、物体１００の表面１０２に沿って洗浄ヘッド２０２を物理的に移動させる。
【００２６】
［００２８］工程３０２では、超臨界二酸化炭素（ＣＯ２）流体が、物体１００の表面１０２に供給される。超臨界二酸化炭素流体を供給すると、物体１００の表面１０２から汚染物質１０４が除去される。汚染物質は、複数の粒子１０６を含むことがある。超臨界ＣＯ２流体をある速度で供給することにより、物体１００の表面１０２から複数の粒子１０６が除去される。一実施形態では、洗浄デバイス２００は、第２のＣＯ２導管２３０を介してＣＯ２ガス源２１８と流体連結する超臨界ＣＯ２流体容器２１６を含む。超臨界二酸化炭素ＣＯ２流体容器２１６は、ＣＯ２ガスの相を変化させ、超臨界ＣＯ２流体を超臨界相温度および圧力に維持する。超臨界ＣＯ２流体容器２１６は、第１のＣＯ２導管２２８を介して洗浄ヘッド２０２と流体連結しており、超臨界ＣＯ２流体をある速度で供給して、物体１００の表面１０２からの粒子リフトオフを改善する。超臨界ＣＯ２流体は、５００ｐｓｉを超える圧力で供給されてもよい。
【００２７】
［００２９］工程３０３では、汚染物質１０４および超臨界ＣＯ２が、物体１００の表面から除去される。一実施形態では、洗浄デバイス２００は、複数の粒子１０６および超臨界ＣＯ２流体を含む汚染物質１０４を、第１の真空導管２２２を介して物体１００から除去する。洗浄デバイス２００は、吸引を生成し、複数の粒子１０６を含む汚染物質１０４を、物体１００の表面１０２から第１の真空導管２２２を通って、第１の真空導管２２２を介して洗浄ヘッド２０２と流体連結する検出器２０４に排出する真空ポンプ２０８を含む。
【００２８】
［００３０］工程３０４において、汚染物質１０４の１つまたは複数の測定値が決定される。一実施形態では、検出器２０４は、複数の粒子１０６を含む汚染物質１０４を受け取る。検出器２０４は、複数の粒子１０６の各粒子の密度を決定する。検出器２０４は、光散乱粒子サイズ分析を実行して、各粒子の密度、平均粒子密度、および／または粒子密度分布を決定しうる。検出器２０４は、レーザービームなどの光源、フーリエレンズ、フローセル、後部検出器、側部検出器、およびリング形状検出器を含んでもよい。複数の粒子１０６は、フローセルを通って流れ、レーザービームは、フーリエレンズによって拡大され、フローセルに伝播され、各粒子の密度に基づいて様々な角度で複数の粒子１０６によって散乱される。後部検出器、側部検出器、およびリング形状検出器は、各粒子の密度、平均粒子密度、および／または粒子密度分布を決定するために、様々な角度によって生成される散乱パターンの変動を決定する。１つまたは複数の測定値は、洗浄時間を最適化するために、汚染物質１０４の除去中に決定されてもよい。
【００２９】
［００３１］工程３０５において、汚染物質１０４のサンプルが収集される。一実施形態では、コレクタ２０６は、第２の真空導管２２４を介して検出器２０４と流体連結しており、複数の粒子１０６を含む汚染物質１０４のサンプルを収集する。汚染物質のサンプルは、さらなる分析のために使用されてもよい。物体１００が洗浄された後に、粒子トラップは、粒子イメージングのために、ならびに走査型電子顕微鏡（Ｓｃａｎｎｉｎｇ  Ｅｌｅｃｔｒｏｎ  Ｍｉｃｒｏｓｃｏｐｙ（ＳＥＭ））および／またはエネルギー分散型Ｘ線分析（Ｅｎｅｒｇｙ  Ｄｉｓｐｅｒｓｉｖｅ  Ｘ−Ｒａｙ  Ａｎａｌｙｓｉｓ（ＥＤＸ））のために除去され、汚染物質１０４の元素組成および／または定量的組成データが決定される。
【００３０】
［００３２］工程３０６において、物体１００の表面１０２の汚染レベルが決定される。表面１０２の汚染レベルは、汚染物質１０４の実質的に全てが除去されたかどうかを決定するために、汚染物質１０４を除去する前、および／または汚染物質１０４の除去中に決定されてもよい。
【００３１】
［００３３］一実施形態では、洗浄ヘッド２０２に連結されたアナライザ２１２が、物体１００の表面１０２の汚染レベルを決定する。一実施形態では、アナライザ２１２は、表面アナリストからの微小液滴のパルス流から表面１０２にプローブ流体の小液滴を分配する表面アナリストである。接触角測定値は、表面清浄度およびエネルギーの測定値に対応する液滴から決定される。アナライザ２１２は、接触角測定値が所定の合格、警告、または不合格の範囲内にあるかどうかに応じて、接触角測定値、または合格、警告、もしくは不合格の出力を出力することがある。接触角測定値の出力および／または合格、警告、または不合格の出力は、チャンバ部品および／またはチャンバ位置のターゲット出力に対応することがある。ターゲット出力は、方法３００の終点に対応することがある。
【００３２】
［００３４］別の実施形態では、アナライザ２１２は、赤外線および／または反射分光アナリストである。アナライザ２１２は、炭化水素およびシリコーン油汚染を検出し、水分レベルを評価し、熱損傷をマッピングし、汚染物質１０４の組成物を識別および検証し、光源によって生成され、表面１０２から反射され、センサによって受信されるグレージング角を測定することによって、物体１００の表面１０２の酸化損傷を測定することがある。アナライザ２１２は、測定値が所定の合格、警告、または不合格の範囲内にあるかどうかに応じて、測定値または合格、警告、もしくは不合格の出力を出力することがある。測定値の出力および／または合格、警告、または不合格の出力は、チャンバ部品および／またはチャンバ位置のターゲット出力に対応することがある。
【００３３】
［００３５］さらに別の実施形態では、アナライザ２１２は、発光分光アナリストである。アナライザ２１２は、ＬＥＤからの紫外線によって励起される、物体１００の表面１０２の蛍光を測定することによって、残留汚染を検出する。蛍光の強度は、アナライザ２１２によってさらに決定される。アナライザ２１２はまた、汚染物質１０４の厚さを測定してもよい。アナライザ２１２は、残留汚染物質の蛍光および／または厚さ、または残留汚染物質の蛍光および／または厚さが所定の合格、警告、もしくは不合格の範囲内にあるかどうかに応じて、合格、警告、もしくは不合格の出力を出力することがある。残留汚染物質の蛍光の出力および／または厚さ、ならびに／または合格、警告、もしくは不合格の出力は、チャンバ部品および／またはチャンバ位置のターゲット出力に対応することがある。
【００３４】
［００３６］方法３００は、後続の物体を洗浄するために繰り返されてもよい。例えば、チャンバは、複数の部品を含むことができ、各部品は、物体１００に対応する。第１の物体は、物体１００を洗浄するための方法３００によって洗浄される。第１の物体の表面１０２上の汚染物質１０４の各粒子の密度、平均粒子密度、および／または粒子密度分布は、第１の物体の汚染レベルと共に決定される。第２の物体は、物体１００を洗浄するための方法３００によって洗浄される。第２の物体の表面１０２上の汚染物質１０４の各粒子の密度、平均粒子密度、および／または粒子密度分布は、第２の物体の汚染レベルと共に決定される。続いて、物体１００に対応する各部品であるチャンバの部品が、物体１００を洗浄するための方法３００によって洗浄される。各物体１００の表面１０２上の汚染物質１０４の各粒子の密度、平均粒子密度、および／または粒子密度分布、ならびに各物体１００の汚染レベルの仕様が遵守される。この仕様は、所定の合格、警告、または不合格の範囲内の汚染レベルに基づいて予防保守および／またはトラブルシューティングの実行に使用されることがある。
【００３５】
［００３７］要するに、物体を洗浄するための洗浄デバイスおよび方法が本明細書に記載される。ある速度で超臨界ＣＯ２流体を供給し、粒子リフトオフを改善して、超臨界ＣＯ２流体および汚染物質を除去することを利用すれば、物体の実質的にすべての表面に汚染物質が存在しないようにすることができる。さらに、汚染物質の１つまたは複数の測定値を決定すること、汚染物質のサンプルを収集すること、および汚染レベルを決定することにより、結果として、マイクロチップ歩留まりが増加し、ツール稼働時間が増加し、ひいては所有コストが減少する。
【００３６】
［００３８］上記は、本開示の例を対象としているが、本開示の他の例およびさらなる例は、本開示の基本的な範囲から逸脱することなく考案されてもよく、本開示の範囲は、以下の特許請求の範囲によって決定される。
【図１】
2021511669.tif 000003
【図２】
2021511669.tif 000004
【図３】
2021511669.tif 000005
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
洗浄デバイスを、物体の表面に沿って移動させることと、
超臨界二酸化炭素流体を、前記物体の前記表面に供給することと、
前記超臨界二酸化炭素流体および汚染物質を、前記物体から除去することと、
前記汚染物質の１つまたは複数の測定値を決定することと、
前記汚染物質のサンプルを収集することと
を含む方法。
【請求項２】
前記超臨界二酸化炭素流体が、５００ポンド／平方インチ（ｐｓｉ）を超える圧力で供給される、請求項１に記載の方法。
【請求項３】
前記物体の前記表面上の汚染レベルを決定することをさらに含む、請求項１に記載の方法。
【請求項４】
前記超臨界二酸化炭素流体を供給することが、複数の粒子を含む前記汚染物質を、前記物体の前記表面から除去し、
前記超臨界二酸化炭素流体および前記汚染物質が、真空ポンプによって除去され、
前記汚染物質の前記１つまたは複数の測定値を決定することが、前記汚染物質の各粒子の密度を決定することを含む、請求項１に記載の方法。
【請求項５】
洗浄デバイスを、第１の物体の表面に沿って移動させることと、
超臨界二酸化炭素流体を、前記第１の物体の前記表面に供給することと、
前記超臨界二酸化炭素流体および汚染物質を、前記第１の物体から除去することと、
前記第１の物体からの前記汚染物質の１つまたは複数の測定値を決定することと、
前記第１の物体からの前記汚染物質のサンプルを収集することと、
前記洗浄デバイスを、第２の物体の表面に沿って移動させることと、
超臨界二酸化炭素流体を、前記第２の物体の前記表面に供給することと、
前記超臨界二酸化炭素流体および前記汚染物質を、前記第２の物体から除去することと、
前記第２の物体からの前記汚染物質の１つまたは複数の測定値を決定することと、
前記第２の物体からの前記汚染物質のサンプルを収集することと
を含む方法。
【請求項６】
前記第１の物体の前記表面上の汚染レベルを決定することと、前記第２の物体の前記表面上の汚染レベルを決定することとをさらに含む、請求項５に記載の方法。
【請求項７】
超臨界二酸化炭素流体を、前記第１の物体の前記表面に供給することが、前記汚染物質を、前記第１の物体の前記表面から除去し、前記超臨界二酸化炭素流体を、前記第２の物体の前記表面に供給することが、前記汚染物質を、前記第２の物体の前記表面から除去し、前記汚染物質が、複数の粒子を含む、請求項６に記載の方法。
【請求項８】
前記超臨界二酸化炭素流体および前記汚染物質が、真空ポンプによって前記第１の物体から除去され、前記超臨界二酸化炭素流体および前記汚染物質が、前記真空ポンプによって前記第２の物体から除去される、請求項７に記載の方法。
【請求項９】
前記第１の物体からの前記汚染物質の１つまたは複数の測定値を決定することが、前記第１の物体からの前記汚染物質の各粒子の密度を決定することを含み、前記第２の物体からの前記汚染物質の１つまたは複数の測定値を決定することが、前記第２の物体からの前記汚染物質の各粒子の密度を決定することを含む、請求項８に記載の方法。
【請求項１０】
洗浄ヘッドと、
アナライザに連結され、かつ前記洗浄ヘッドに連結された光チャネルと、
前記洗浄ヘッドに連結され、汚染物質の粒子の密度を決定するように動作可能な検出器と、
前記検出器に連結されたコレクタと、
前記コレクタに連結され、前記汚染物質の前記粒子を含む前記汚染物質を前記検出器に排出するように動作可能な真空ポンプと
を備えるデバイス。
【請求項１１】
前記検出器が、前記汚染物質の各粒子の密度を決定するように構成される、請求項１０に記載のデバイス。
【請求項１２】
前記コレクタが、前記汚染物質のサンプルを収集するように構成される、請求項１１に記載のデバイス。
【請求項１３】
前記洗浄ヘッドに連結された移動機構をさらに備える、請求項１０に記載のデバイス。
【請求項１４】
前記アナライザが、汚染レベルを決定するように構成される、請求項１０に記載のデバイス。
【請求項１５】
前記洗浄ヘッドに連結され、かつ超臨界二酸化炭素を供給するように構成された超臨界二酸化炭素流体容器をさらに備える、請求項１０に記載のデバイス。
【請求項１６】
洗浄ヘッドを物体の表面に沿って移動させるように動作可能な移動機構に連結された洗浄ヘッドと、
前記洗浄ヘッドの光チャネルに連結され、前記物体の前記表面の汚染レベルを決定するように動作可能なアナライザと、
真空導管を介して前記洗浄ヘッドと流体連結している真空ポンプと、
前記真空ポンプと流体連結している検出器であって、
前記真空ポンプが、複数の粒子を含む汚染物質を、前記物体の前記表面から前記真空導管を通って前記検出器に排出するように動作可能であり、
前記検出器が、前記複数の粒子の１つまたは複数の測定値を決定するように動作可能である、検出器と、
前記汚染物質のサンプルを収集するように動作可能な、前記検出器に連結されたコレクタと
を備える、デバイス。
【請求項１７】
前記検出器によって決定されるように動作可能な前記１つまたは複数の測定値が、各粒子の密度、平均粒子密度、および前記複数の粒子の粒子密度分布のうちの少なくとも１つを含む、請求項１６に記載のデバイス。
【請求項１８】
前記検出器が表面粒子検出器である、請求項１７に記載のデバイス。
【請求項１９】
前記表面粒子検出器が、光源、フーリエレンズ、フローセル、後部検出器、側部検出器、およびリング形状検出器を含む、請求項１８に記載のデバイス。
【請求項２０】
前記移動機構が、前記洗浄ヘッドを前記物体の前記表面に沿って自律的に移動させるように動作可能である、請求項１６に記載のデバイス。
【国際調査報告】
2021511669.tif 000006
2021511669.tif 000007